(57)【要約】【課題】イジェクト機構の具備による、部品実装部材の部品実装エリアの縮小化を回避するとともに、装置の筐体に対する部品実装部材の着脱を容易にする部材着脱用器具を提供する。【解決手段】梃子力の支点として機能する支点部と、梃子力の力点として機能する力点部と、梃子力の作用点として機能する作用点部と、を有し、所定の装置の筐体に対して所定の部材が着脱される場合、支点部が筐体の所定部分に固定されて力点部に力が加えられると、作用点部が部材に対して力を加えて所定方向に移動させる。【選択図】図４
2010147050.tif 000002
【特許請求の範囲】
【請求項１】
梃子力の支点として機能する支点部と、
梃子力の力点として機能する力点部と、
梃子力の作用点として機能する作用点部と、を有し、
所定の装置の筐体に対して所定の部材が着脱される場合、前記支点部が前記筐体の所定部分に固定されて前記力点部に力が加えられると、前記作用点部が前記部材に対して力を加えて所定方向に移動させることを特徴とする部材着脱用器具。
【請求項２】
前記筐体には前記部材を格納するための部材格納部が設けられ、
前記部材が前記部材格納部に挿入される場合、前記支点部が前記筐体の所定部分に固定されて前記力点部に力が加えられると、前記作用点部が前記部材に対して力を加え、前記部材を前記部材格納部の内部方向に移動させることを特徴とする請求項１記載の部材着脱用器具。
【請求項３】
前記部材が前記部材格納部に挿入される場合、前記作用点部は、前記部材を前記部材格納部の内部方向に移動させ、前記部材の背面に設けられたコネクタ部と、前記筐体の内部に設けられたコネクタ部とが電気的に接続されるように力を加えることを特徴とする請求項２記載の部材着脱用器具。
【請求項４】
前記部材が前記部材格納部に挿入された状態から抜去される場合、前記支点部が前記筐体の所定部分に固定されて前記力点部に力が加えられると、前記作用点部が前記部材に対して力を加え、前記部材を前記部材格納部の外部方向に移動させることを特徴とする請求項２又は３記載の部材着脱用器具。
【請求項５】
前記部材の前面にはハンドル部が設けられ、
前記部材が前記部材格納部に挿入された状態から抜去される場合、前記支点部が前記筐体の所定部分に固定されて前記力点部に力が加えられると、前記作用点部が前記ハンドル部の所定部分に対して力を加え、前記部材を前記部材格納部の外部方向に移動させることを特徴とする請求項４記載の部材着脱用器具。
【請求項６】
前記筐体には前記支点部を固定するための固定部が設けられ、
前記支点部は、前記固定部に対して着脱自在であることを特徴とする請求項１から５のいずれか１項に記載の部材着脱用器具。
【発明の詳細な説明】
【技術分野】
【０００１】
本発明は、装置、機器等の筐体に対して、部品が実装された部材を着脱するための部材着脱用器具に関する。
【背景技術】
【０００２】
例えば、装置（無線基地局装置等）の筐体には、電子部品等が実装された部品実装部材が着脱（挿入及び抜去）されることがある（例えば、特許文献１参照）。部品実装部材の例としては、ＡＭＣ（AdvancedMC）カード（又はＡＭＣボード）などが挙げられる。
【特許文献１】特開２００８−２５８３９２号公報
【発明の開示】
【発明が解決しようとする課題】
【０００３】
しかしながら、装置の筐体に対する部品実装部材の着脱には課題がある。この課題について、以下、無線基地局装置の筐体に対するＡＭＣカードの挿入及び抜去を例にして説明する。
【０００４】
近年、無線基地局装置は高性能化され、多信号接続化のための多芯コネクタの使用が進んでいるので、カード側コネクタと筐体側コネクタとの嵌合力は増大している。カード側コネクタと筐体側コネクタとの嵌合力が大きいと、人の手の力だけでカードの挿入及び抜去を行うことは非常に困難であるという課題がある。
【０００５】
その一方で、梃子の力を利用したイジェクト機構をＡＭＣカードに具備することにより、人の手の力で挿入抜去操作を容易に行えるようにしているものがある。しかしながら、ＡＭＣカード自体の小型化が進んでいるため、一般的なイジェクト機構をカードに具備すると、カード前面側の部品実装スペースが縮小化してしまうという課題がある。すなわち、昨今の製品化の流れである装置の高密度実装化及び小型化により、カードサイズや実装部品は小型化しているにもかかわらず、イジェクト機構は人の手で操作する部品であるので、同様の小型化には限度がある。そのため、本来カード前面に実装したい電子部品の実装スペースを確保できない等の支障が生じる。
【０００６】
以上説明したように、コネクタ嵌合力が大きい小型のＡＭＣカードには、人間の手の力だけでは挿入抜去操作ができないという問題と、イジェクト機構を具備するとカード前面部の部品実装エリアが縮小してしまうという問題があった。
【０００７】
本発明は、上記事情に鑑みてなされたものであり、イジェクト機構の具備による、部品実装部材の部品実装エリアの縮小化を回避するとともに、装置の筐体に対する部品実装部材の着脱を容易にする部材着脱用器具を提供することを目的とする。
【課題を解決するための手段】
【０００８】
かかる目的を達成するために、本発明の部材着脱用器具は、梃子力の支点として機能する支点部と、梃子力の力点として機能する力点部と、梃子力の作用点として機能する作用点部と、を有し、所定の装置の筐体に対して所定の部材が着脱される場合、支点部が筐体の所定部分に固定されて力点部に力が加えられると、作用点部が部材に対して力を加えて所定方向に移動させることを特徴とする。
【発明の効果】
【０００９】
本発明によれば、イジェクト機構の具備による、部品実装部材の部品実装エリアの縮小化を回避できるとともに、装置の筐体に対する部品実装部材の着脱を容易にすることができる。
【発明を実施するための最良の形態】
【００１０】
以下、本発明を実施するための最良の形態について添付図面を参照して詳細に説明する。
【００１１】
本発明の部材着脱用器具の一実施形態について説明する。本実施形態では、部材着脱用器具の例として、無線基地局装置の筐体に対するＡＭＣカード（部材の一例）の挿入・抜去操作を行うための挿入抜去操作金具とする。ここでいう「挿入・抜去操作」とは、ＡＭＣカードを無線基地局装置の筐体に対して着脱するときの人間による操作、すなわち、例えば、ＡＭＣカードを筐体に挿入したり、筐体から抜去したりする、人間の手などによる操作を意味する。
【００１２】
図１は、無線基地局装置においてＡＭＣカードが着脱される面（着脱面）の構成を拡大して示す図である。図１において、無線基地局装置の筐体４の前面（着脱面）には、複数のＡＭＣカード２がそれぞれ格納される、複数のカード格納部（部材格納部）が備えられている。このカード格納部において、ＡＭＣカード２が挿入・抜去される。また、筐体４の前面には、挿入抜去操作金具１の使用時に、挿入抜去操作金具１を装着し固定するための金具（固定部）５が備えられている。
【００１３】
図２は、図１に示す無線基地局装置のＡＭＣカード着脱面の全体を示す図であり、複数のＡＭＣカード２が筐体４に実装（格納）された例を示す図である。ＡＭＣカード２は、筐体４（カード格納部の奥）に内蔵されたバックボード６と電気的に接続される。この接続は、バックボード６に具備された凹コネクタ７と、ＡＭＣカード２の後部に具備された凸コネクタ８とが嵌合することで行われる。
【００１４】
図３は、ＡＭＣカード２の構成の一例を示す図である。図３に示すように、ＡＭＣカード２は、前部（前面）において、インタフェース接続のための部品実装エリア９と、ＡＭＣカード２を筐体４にロックするための機構を持つハンドル３とを有しており、後部（背面）において、上記凸コネクタ８を有している。なお、ハンドル３は、人の手によりＡＭＣカード２の挿入、抜去操作が行われるときに、手などで掴む等して使用される部分でもある。
【００１５】
図４は、本実施形態の挿入抜去操作金具１の構成の一例を示す図である。図４に示すように、挿入抜去操作金具１は、挿入及び抜去の際に、梃子力の作用点として機能する先端部（作用点部）１０と、梃子力の支点として機能する突起部（支点部）１１と、梃子力の力点として機能する操作部（力点部）１２とを有している。
【００１６】
次に、本実施形態の挿入抜去操作金具１を使用した、ＡＭＣカード２の着脱時の動作について説明する。まず、本実施形態の動作のうちＡＭＣカード２の挿入時の動作について、図５及び図６を参照しながら説明する。
【００１７】
図５は、カード２（ＡＭＣカード２）を筐体４に挿入し実装する際の手順を示す図である。なお、図５の各図は、カード２の挿入方向（図５（ａ）中の矢印）に対して垂直な方向から見た、筐体４のカード格納部の側断面を示している。まず、操作者は、筐体４に設けられた所定のカード格納部にカード２を差し入れ（ａ）、次に、カード２の凸コネクタ８がバックボード６の凹コネクタ７に当たるまでカード２を挿入し、この状態で挿入抜去操作金具１をセットする（ｂ）。セットとは、挿入抜去操作金具１の突起部１１を金具５に固定することである。そして、操作者は、挿入抜去操作金具１の操作部１２を手で掴むなどして手前に引く（ｃ）。これにより、挿入抜去操作金具１の先端部１０がカード２の前面を押下し、カード２をカード格納部内に押し込む。その結果、カード２の凸コネクタ８がバックボード６の凹コネクタ７に嵌合する（ｄ）。この一連の動作で筐体４へのカード２の挿入が完了する。
【００１８】
ここで、図６を参照して、図５で説明した手順（ｂ）及び（ｃ）についてより詳細に説明する。図６は、カード２の挿入方向に対して垂直な方向から見た、筐体４のカード格納部の側断面を示している。操作者は、挿入抜去操作金具１の突起部１１を、筐体４に具備された金具５に差し込む。操作者は、この差し込んだ部分が梃子の支点になるように挿入抜去操作金具１の操作部１２を手前方向（図中の操作部１２近傍に示す矢印方向）に引く。これにより、挿入抜去操作金具１の先端部１０がカード２の前面を押す方向（図中のカード２近傍に示す矢印方向であり、カード格納部内部へ向かう方向）に力が発生し、カード２が筐体４（カード格納部）内に押し込まれる。このように、本実施形態では、梃子の原理を利用することにより、挿入操作に必要な力を低減できる。
【００１９】
次に、本実施形態の動作のうちＡＭＣカード２の抜去時の動作について、図７及び図８を参照しながら説明する。
【００２０】
図７は、カード２を筐体４から抜去し取り外す際の手順を示す図である。筐体４にカード２が実装され、カード２の凸コネクタ８とバックボード６の凹コネクタ７とが嵌合している状態のときに（ａ）、操作者は、挿入抜去操作金具１をセットする（ｂ）。セットとは、挿入抜去操作金具１の突起部１１を金具５に固定することである。そして、操作者は、挿入抜去操作金具１の操作部１２を手で掴むなどして押す（ｃ）。これにより、挿入抜去操作金具１の先端部１０がカード２の前面を筐体４外へ押し出し、カード２をカード格納部内から引き出す。その結果、カード２の凸コネクタ８がバックボード６の凹コネクタ７から外れる。コネクタ同士が外れたら、操作者は、カード２を筐体４から引き抜く（ｄ）。この一連の動作で筐体４からのカード２の抜去が完了する。
【００２１】
ここで、図８を参照して、図７で説明した手順（ｂ）及び（ｃ）を詳細に説明する。図８は、カード２の挿入方向に対して垂直な方向から見た側断面を示している。操作者は、挿入抜去操作金具１の突起部１１を、筐体４に具備された金具５に差し込む。この差し込んだ部分が梃子の支点になるように挿入抜去操作金具１の操作部１２を奥方向（図中の操作部１２近傍に示す矢印方向）に押す。これにより、挿入抜去操作金具１の先端部１０がカード２に具備されたハンドル３の首部分を手前に押す方向（図中のカード２近傍に示す矢印方向であり、カード格納部外部へ向かう方向）に力が発生し、カード２が筐体４（カード格納部）から引き出される。このように、本実施形態では、梃子の原理を利用することにより、抜去操作に必要な力を低減できる。
【００２２】
以上説明した本実施形態は、以下の効果を奏する。
第１の効果は、挿入抜去操作金具を使用することによる梃子力の効果により、コネクタ嵌合力の大きいカードでも容易に挿入及び抜去できることである。
第２の効果は、同じく挿入抜去操作金具を使用することで、カード前面側に従来型のイジェクタ機構を具備する必要がないため、カード前面部での部品実装エリアを有効に利用できることである。
【００２３】
本実施形態では、無線基地局装置とＡＭＣカードを例として説明したが、これに限定されず、バックプラグイン構造を有する装置（筐体）とカードを構成とする、幅広い分野に応用可能である。
【００２４】
本実施形態の挿入抜去操作金具は、使用する際の許容応力、すなわちカードコネクタの嵌合力に耐え得るものであれば、材質や形状は問わない。よって、設計上の自由度が高い。
【００２５】
本実施形態では、カード下側に挿入抜去操作金具を１つ使用する構成であるが、カード上下に２つ使用する構造も可能であり、これにより操作時の梃子力が半減でき、さらに操作を容易に行うことができるという効果が得られる。
【００２６】
以上、本発明の実施形態について説明したが、上記実施形態に限定されるものではなく、その要旨を逸脱しない範囲において種々の変形が可能である。
【産業上の利用可能性】
【００２７】
本発明は、筐体に対して所定の部材をバックプラグイン構造により着脱する技術全般に適用できる。
【図面の簡単な説明】
【００２８】
【図１】本発明の一実施形態に係る無線基地局装置においてＡＭＣカードが着脱される面の構成を拡大して示す図である。
【図２】本発明の一実施形態に係る無線基地局装置においてＡＭＣカード着脱面全体を示す図であり、複数のＡＭＣカードが筐体に実装された例を示す図である。
【図３】本発明の一実施形態に係るＡＭＣカードの構成の一例を示す図である。
【図４】本発明の一実施形態に係る挿入抜去操作金具の構成の一例を示す図である。
【図５】本発明の一実施形態に係るＡＭＣカードを筐体に挿入し実装する際の手順を示す図である。
【図６】本発明の一実施形態に係る挿入抜去操作金具の筐体セット状態から挿入操作時の状態を拡大して示す図である。
【図７】本発明の一実施形態に係るＡＭＣカードを筐体から抜去し取り外す際の手順を示す図である。
【図８】本発明の一実施形態に係る挿入抜去操作金具の筐体セット状態から抜去操作時の状態を拡大して示す図である。
【符号の説明】
【００２９】
１    挿入抜去操作金具
２    ＡＭＣカード
３    ハンドル
４    筐体
５    金具
６    バックボード
７    凹コネクタ
８    凸コネクタ
９    部品実装エリア
１０    先端部
１１    突起部
１２    操作部
【図１】
2010147050.tif 000003
【図２】
2010147050.tif 000004
【図３】
2010147050.tif 000005
【図４】
2010147050.tif 000006
【図５】
2010147050.tif 000007
【図６】
2010147050.tif 000008
【図７】
2010147050.tif 000009
【図８】
2010147050.tif 000010